(57)【要約】【課題】容器の周側面に絶縁シートが巻き付けられる二次電池において、絶縁シートの重なり代によりサイズが大きくなることがない二次電池を提供する。【解決手段】電池缶１０１は、一対の幅広面１０１ａと、一対の幅狭面１０１ｂを有するほぼ断面矩形形状に形成されている。幅広面１０１ａと幅狭面１０１ｂとが連結される連結部には、断面円弧状の連結稜線部１１０Ａが形成されている。絶縁シート１０Ａの巻始め端部１１ａおよび巻終り端部１１ｂは、連結稜線部１１０Ａに配置されており、重なり代１２は、連結稜線部１１０Ａ内に形成される。【選択図】図４
2014143146.tif 000002
【特許請求の範囲】
【請求項１】
少なくとも１つの面に開口を有し、前記開口を囲む周側面が幅広面とコーナー部を含む側面を有する容器には、電極群が収容されるとともに電解液が注入され、前記開口は容器蓋で封止され、前記電極群と外部機器との間の充放電が前記容器蓋に配置された外部端子を介して行われるようにした蓄電素子において、
前記容器は、前記開口を囲む周側面が１枚または複数枚の絶縁シートで被覆され、
前記絶縁シートは、前記絶縁シートで被覆された容器の前記開口に平行な横断面を囲む最小矩形領域の内側において、前記絶縁シートが重なりあって前記周側面に固着されている蓄電素子。
【請求項２】
請求項１に記載の蓄電素子において、
前記容器は薄型直方体に形成され、
前記薄型直方体の容器の周側面は平坦部を有する一対の幅広面および平坦部を有する一対の幅狭面を有し、
前記最小矩形領域は、前記一対の幅広面を被覆する絶縁シートの外表面を通る仮想線と一対の幅狭面を被覆する絶縁シートの外表面を通る仮想線により区画された領域であり、
前記最小矩形領域の４つのコーナー部においては、前記最小矩形領域と、前記容器の周側面との間に略三角形の空隙がそれぞれ設けられ、
前記絶縁シートは、前記少なくとも１つの空隙内において、前記２つの辺が重なり合って前記容器に固着されている蓄電素子。
【請求項３】
請求項２に記載の蓄電素子において、
前記容器の一対の幅広面および一対の幅狭面は、断面が円弧または直線である連結稜線部でそれぞれ接続されている蓄電素子。
【請求項４】
請求項２または３に記載の蓄電素子において、
前記容器の底面も前記絶縁シートで被覆され、
前記容器の底面を通る仮想線と前記一対の幅広面を被覆する絶縁シートの外表面を通る仮想線とが交差する２つのコーナー部と、前記容器の底面を通る仮想線と前記一対の幅狭面を被覆する絶縁シートの外表面を通る仮想線とが交差する２つのコーナー部において、前記絶縁シートの２つの辺が重なり合って前記容器に固着される蓄電素子。
【請求項５】
請求項４に記載の蓄電素子において、
前記周側面を被覆する絶縁シートと前記底面を被覆する絶縁シートが一枚の絶縁シートである蓄電素子。
【請求項６】
請求項２に記載の蓄電素子において、
前記容器は、前記一対の幅狭面のみが曲面部を有する薄型容器であり、
前記最小矩形領域は、前記一対の幅広面を被覆する絶縁シートの外表面を通る第1仮想線と、前記一対の幅狭面を被覆する絶縁シートの外表面の頂点を通り前記第1仮想線と直交する第２仮想線により区画された領域であり、
前記最小矩形領域の４つのコーナー部においては、前記最小矩形領域と、前記容器の周側面との間には略三角形の空隙がそれぞれ設けられ、
前記絶縁シートは、前記少なくとも１つの空隙内において、前記２つの辺が重なり合って前記容器に固着されている蓄電素子。
【請求項７】
請求項２に記載の蓄電素子において、
前記容器は、前記一対の幅広面と幅狭面がいずれも曲面部を有する薄型容器であり、
前記最小矩形領域は、前記一対の幅広面を被覆する絶縁シートの外表面の頂点を通り前記電極群の捲回群と平行に延在する第1仮想線と、前記一対の幅狭面を被覆する絶縁シートの外表面の頂点を通り前記第1仮想線と直交する第２仮想線により区画された領域であり、
前記最小矩形領域の４つのコーナー部において前記最小矩形領域と前記容器の周側面との間に設けられた空隙内において、前記絶縁シートは２つの辺が重なり合って前記容器に固着されている蓄電素子。
【発明の詳細な説明】
【技術分野】
【０００１】
この発明は、蓄電素子に関し、より詳細には、容器の周側面が絶縁された蓄電素子に関する。
【背景技術】
【０００２】
リチウムイオン二次電池等の二次電池では、アルミニウム等の金属により形成された電池缶内に発電要素である電極群が収容され、電解液が注入されている。電池缶は、周側面と底面を有し、上部が開口されている。周側面は、通常、一対の幅広面と、この幅広面に連結された一対の幅狭面とを有する断面矩形状に形成されている。電極群が収容され、電解液が注入された電池缶の上部開口部は、正極および負極の外部端子が設けられた電池蓋により封口される。電池蓋は、正・負極外部端子とは絶縁されている。電池缶および電池蓋は、正極または負極とは電位が相違し、極性を持たない中性である。
【０００３】
複数の二次電池が直列または並列に組み合わされて組電池が形成され、産業用または車両用の電源として用いられる。狭い領域内に複数の二次電池を配列すると、電池缶が二次電池の外部端子に短絡する可能性がある。これに対して、電池缶の周側面に粘着層を有する絶縁シートを巻き付けた構造とすることが知られている。この構造では、電池缶の周側面に巻き付けた絶縁シートの巻始め端部は、電池缶の幅広面において、巻終わり端部に重ね合わされて配置される（例えば、特許文献１参照）。
【先行技術文献】
【特許文献】
【０００４】
【特許文献１】特許公開２０１２−１６０３１５号公報
【発明の概要】
【発明が解決しようとする課題】
【０００５】
上記特許文献１に記載された発明では、絶縁シートの巻始め端部と巻き終わり端部が重なり合う部分（以下、「重なり代」と呼ぶ）が、断面矩形状の電池缶の周側面の外側に突き出す。つまり、二次電池の幅広面方向の長さが、絶縁シートの重なりにより、絶縁シート１枚の厚さ分、大きくなる。
【課題を解決するための手段】
【０００６】
本発明は、少なくとも１つの面に開口を有する容器には、電極群が収容されるとともに電解液が注入され、前記開口は容器蓋で封止され、前記電極群と外部機器との間の充放電が外部端子を介して行われるようにした蓄電素子に適用される。本発明による蓄電素子の容器は、その周側面が１枚または複数枚の絶縁シートで被覆され、絶縁シートは、絶縁シートで被覆された容器の横断面を囲む最小矩形領域の内側において、２つの辺が重なりあって周側面に固着されている。
【発明の効果】
【０００７】
本発明によれば、絶縁シートは、絶縁シートで被覆された容器の横断面を囲む最小矩形領域の内側において、２つの辺が重なりあって周側面に固着されている。このため、蓄電素子を小型化することができる。
【図面の簡単な説明】
【０００８】
【図１】本発明の蓄電素子の一実施の形態としての二次電池を示し、絶縁シートを巻き付ける前の外観斜視図。
【図２】図１における二次電池の分解斜視図。
【図３】図２に図示された電極群の斜視図。
【図４】絶縁シートの重なり代の構造を説明するための図であり、（ａ）は、二次電池を図１におけるＩＶａ−ＩＶａ線で切断して示す断面図、（ｂ）は、図４（ａ）おける領域ＩＶｂの拡大図、（ｃ）は、図４（ａ）おける領域ＩＶｃの拡大図。
【図５】本発明の実施形態２としての二次電池を示し、絶縁シートを巻き付ける前の外観斜視図。
【図６】実施形態２の絶縁シートの重なり代の構造を説明するための図であり（ａ）は、二次電池を図５におけるＶＩａ−ＶＩａ線で切断して示す断面図、（ｂ）は、図６（ａ）おける領域ＶＩｂの拡大図。
【図７】本発明の実施形態３としての二次電池を示し、絶縁シートを巻き付ける前の外観斜視図。
【図８】実施形態３の絶縁シートの重なり代の構造を説明するための図であり、（ａ）は、二次電池を図７におけるＶＩＩＩａ−ＶＩＩＩａ線で切断して示す断面図、（ｂ）は、図８（ａ）おける領域ＶＩＩＩｂの拡大図。
【図９】本発明の実施形態４としての二次電池を示し、絶縁シートを巻き付ける前の外観斜視図。
【図１０】実施形態４の絶縁シートの重なり代の構造を説明するための図であり、（ａ）は、二次電池を図９におけるＸａ−Ｘａ線で切断して示す断面図、（ｂ）は、図１０（ａ）おける領域Ｘｂの拡大図。
【図１１】本発明の実施形態５としての二次電池を示し、絶縁シートを巻き付ける前の外観斜視図。
【図１２】実施形態５の絶縁シートの重なり代の構造を説明するための図であり、（ａ）は、二次電池を図１１におけるＸＩＩａ−ＸＩＩａ線で切断して示す断面図、（ｂ）は、図１２（ａ）おける領域ＸＩＩｂの拡大図。
【図１３】本発明の実施形態６としての二次電池を示し、絶縁シートを巻き付ける前の外観斜視図。
【図１４】実施形態６の絶縁シートの重なり代の構造を説明するための図であり、（ａ）は、二次電池を図１３におけるＸＩＶａ−ＸＩＶａ線で切断して示す断面図、（ｂ）は、図１４（ａ）おける領域ＸＩＶｂの拡大図。
【図１５】本発明の実施形態７としての二次電池を示し、絶縁シートを巻き付ける前の外観斜視図。
【図１６】実施形態７の絶縁シートの重なり代の構造を説明するための図であり、（ａ）は、二次電池を図１５におけるＸＶＩａ−ＸＶＩａ線で切断して示す断面図、（ｂ）は、図１６（ａ）おける領域ＸＶＩｂの拡大図。
【図１７】本発明の実施形態８としての二次電池を示し、絶縁シートを巻き付ける前の外観斜視図。
【図１８】実施形態８の絶縁シートの重なり代の構造を説明するための図であり、（ａ）は、二次電池を図１７におけるＸＶＩＩＩａ−ＸＶＩＩＩａ線で切断して示す断面図、（ｂ）は、図１８（ａ）おける領域ＸＶＩＩＩｂの拡大図。
【図１９】本発明の実施形態９としての二次電池を示し、（ａ）は、絶縁シートの重なり代の構造を説明するための断面図、（ｂ）は、図１９（ａ）おける領域ＸＩＸｂの拡大図。
【図２０】本発明の実施形態１０としての二次電池を示し、絶縁シートを巻き付ける前の外観斜視図。
【発明を実施するための形態】
【０００９】
本発明は、少なくとも１つの面に開口を有する容器を有し、容器内には電極群が収容されるとともに電解液が注入され、開口が容器蓋で封止され、電極群と外部機器との間の充放電が外部端子を介して行われるようにし、容器の周面に絶縁シートを被覆した二次電池、キャパシタなどの蓄電素子に関するものである。とくに、絶縁シートの少なくとも２つの辺が重なり合うようにして容器周側面に固着したものである。
以下、この発明の蓄電素子の一実施形態を図面と共に説明する。
【００１０】
―実施形態１―
［二次電池の全体構造］
図１は、この発明の蓄電素子の一実施の形態としての角形二次電池の外観斜視図であり、図２は、図１に示された角形二次電池の分解斜視図である。以下の説明では、二次電池をリチウムイオン二次電池として説明する。
図１に示すように、角形二次電池１００Ａは、電池缶である容器１０１と電池蓋である容器蓋１０２とから構成されている。電池缶１０１および電池蓋１０２の材質は、例えば、アルミニウムまたはアルミニウム合金などのアルミニウム系金属である。
【００１１】
電池蓋１０２は、矩形平板状であって、電池缶１０１の開口を塞ぐように接合されている。つまり、電池蓋１０２の周縁部が、レーザ溶接等により電池缶１０１の開口部の周縁部に接合され、電池缶１０１を封口している。電池蓋１０２には、正極端子である正極外部端子１４１および負極端子である負極外部端子１５１が設けられている。また、電池蓋１０２には、ガス排出弁１０３が設けられている。ガス排出弁１０３は、プレス加工によって電池蓋１０２を部分的に薄肉化することで形成されている。ガス排出弁１０３には、開裂時に大きな開口が形成されるように開裂溝が形成されている。ガス排出弁１０３は、二次電池１００Ａが過充電等の異常により発熱して内部にガスが発生し、二次電池１００Ａ内の圧力が上昇して所定圧力に達したときに開裂して、内部からガスを排出することで二次電池１００Ａ内の圧力を低減させる。
【００１２】
電池蓋１０２には、二次電池１００Ａ内に電解液を注入するための注液口１０６ａが形成されている。注液口１０６ａは、注液栓１０６により封止されている。注液栓１０６は、注液口１０６ａの周囲における電池蓋１０２の部分に、レーザ溶接等により接合されている。
【００１３】
さらに、二次電池１００Ａは、電池缶１０１の４つの側面と１つの底面に貼り付けられる絶縁シート１０Ａを備えている。詳細は後述するが、絶縁シート１０Ａは、電池缶１０１の底面および上述した電池蓋１０２と電池缶１０１との溶接部を除く、電池缶１０１の周面のほぼ全体、すなわち、電池缶１０１の周側面に貼り付けられる。
【００１４】
[電池缶]
図２に示すように、電池缶１０１は上面が開口された、横断面がほぼ矩形形状の薄型直方体の形状に形成されている。電池缶１０１は、一対の幅広面１０１ａと、この一対の幅広面１０１ａに連結される幅狭面１０１ｂと、一対の幅広面１０１ａおよび一対の幅狭面１０１ｂに接合部である連結稜線部で連結された１つの底面１０１ｃの合計５面を有している。幅狭面１０１ｂは、平面部と、接合部である連結稜線部１１０Ａ（図４参照）を有し、連結稜線部１１０Ａにより幅広面１１０ａに接続されている。
電池缶１０１の残り１面は、開口部となっている。このような電池缶１０１は、１枚の板金を深絞りして作製することができる。なお、以下において、一対の幅広面１０１ａと一対の幅狭面１０１ｂとで構成される４面の全体を周側面という。周側面は、底面１０１ｃを含まない。
【００１５】
幅広面１０１ａと幅狭面１０１ｂとの各接合部（実施形態１では４箇所）、底面１０１ｃと幅広面１０１ａとの接合部および底面１０１ｃと幅狭面１０１ｂとの各接合部（実施形態１では４箇所）は、断面円弧状の曲面とされている。この接合部を、連結稜線部１１０Ａ（図４（ｃ）参照）という。幅広面１０１ａ、幅狭面１０１ｂおよび底面１０１ｃの３つの面が交差する各連結部（実施形態１では４箇所）は、球状の曲面とされている。
なお、円弧状は、真円の円弧状の他、楕円状、放物線状等の一部でもよく、本明細書では、これらの曲線のすべてを含む用語として用いられている。
【００１６】
電池缶１０１には扁平に捲回された電極群１７０と絶縁ケース１０８と電解液（図示せず）が収容されている。電解液は電池蓋１０２に設けられた注液口１０６ａから注液される。注液後、注液栓１０６をレーザ溶接等により電池蓋１０２に接合することにより、二次電池１００Ａが密閉される。なお、本実施形態の二次電池１００Ａでは、上述したように、電池缶１０１および電池蓋１０２の電位は、正極または負極の電位とは相違し、極性を持たない中性である。電極群１７０は、絶縁ケース１０８に覆われた状態で電池缶１０１内に収容されている。絶縁ケース１０８の材質は、ポリプロピレン等の絶縁性を有する樹脂である。これにより、電池缶１０１と、電極群１７０とは電気的に絶縁されている。
【００１７】
正極端子１４１は正極集電体１８０を介して電極群１７０の正極電極１７４（図３参照）に電気的に接続され、負極端子１５１は負極集電体１９０を介して電極群１７０の負極電極１７５（図３参照）に電気的に接続されている。正極端子１４１および負極端子１５１は、不図示の絶縁部材により電池蓋１０２とは絶縁されている。正極端子１４１および負極端子１５１を介して外部機器に電力が供給され、あるいは、正極端子１４１および負極端子１５１を介して外部発電電力が電極群１７０に供給されて充電される。
【００１８】
［電極群］
図３を参照して、電極群１７０について説明する。図３は、図２に図示された電極群を、その捲回終端部側を展開した状態の斜視図である。
発電要素である電極群１７０は、図３に示すように、長尺状の正極電極１７４および負極電極１７５を、セパレータ１７３を介在させて捲回軸Ｗの周りに扁平形状に捲回することで積層構造とされている。
【００１９】
正極電極１７４は、正極箔１７１と、正極活物質に結着材（バインダ）を配合した正極活物質合剤が正極箔１７１の両面に塗工されて形成された正極活物質塗工部１７６とを有する。負極電極１７５は、負極箔１７２と、負極活物質に結着材（バインダ）を配合した負極活物質合剤が負極箔１７２の両面に塗工されて形成された負極活物質塗工部１７７とを有する。
【００２０】
正極箔１７１は、厚さ２０〜３０μｍ程度のアルミニウム合金箔であり、負極箔１７２は、厚さ１５〜２０μｍ程度の銅合金箔である。セパレータ１７３の素材は多孔質のポリエチレン樹脂である。正極活物質は、マンガン酸リチウム等のリチウム含有遷移金属複酸化物であり、負極活物質は、リチウムイオンを可逆に吸蔵、放出可能な黒鉛等の炭素材である。
【００２１】
電極群１７０の幅方向（捲回方向に直交する捲回軸Ｗ方向）の両端部の内の一方は、正極活物質合剤が形成されていない未塗工部（正極箔１７１の露出部）が積層された部分とされている。また、他方は、負極活物質合剤が形成されていない未塗工部（負極箔１７２の露出部）が積層された部分とされている。正極側未塗工部の積層体および負極側未塗工部の積層体は、それぞれ予め押し潰され、それぞれ、正極集電体１８０および負極集電体１９０（図２参照）と超音波接合により接続される。
【００２２】
電極群１７０は、電池缶１０１内に収容された絶縁ケース１０８内に収容される。電極群１７０は、捲回軸Ｗが電池缶１０１の底面１０１ｃに平行にされ、かつ、一対の平坦部を電池缶１０１の幅広面１０１ａに平行にされて電池缶１０１内に収容される。この状態で、電池蓋１０２は、レーザ溶接等により電池缶１０１の開口部の周縁部に接合されて電池缶１０１の開口部を閉塞する。次いで、閉塞された電池缶１０１内に注液口１０６ａから非水電解液が注入される。非水電解液としては、たとえば、エチレンカーボネート等の炭酸エステル系の有機溶媒に６フッ化リン酸リチウム（ＬｉＰＦ6）等のリチウム塩が溶解された非水電解液を用いることができる。注液口１０６ａから電池缶１０１内に非水電解液を注入した後、注液栓１０６により注液口１０６ａが封止される。
【００２３】
実施形態１の二次電池の電池缶１０１の周側面は１枚の絶縁シート１０Ａで被覆されている。
以下、二次電池１００Ａの周側面に絶縁シート１０Ａを貼り付ける方法および構造について説明する。
［絶縁シートの貼付け］
図４（ａ）〜（ｃ）は、絶縁シートの重なり代の構造を説明するための図である。図４（ａ）は、二次電池を図１におけるＩＶａ−ＩＶａ線で切断して示す断面図あり、電極群などの内部構造は省略している。図４（ｂ）は、図４（ａ）おける領域ＩＶｂの拡大図、図４（ｃ）は、図４（ａ）おける領域ＩＶｃの拡大図である。なお、図４において、絶縁シート１０Ａの貼付け構造を明確にするために、絶縁シート１０Ａの厚さは、実際の厚さよりも厚く図示されている。
【００２４】
図４（ｂ）に図示されるように、1枚の絶縁シート１０Ａは、ポリエステル樹脂、ビニル系樹脂等の少なくとも絶縁性を有する材料からなる基材層１３ａ、および粘着層１３ｂを備えている。絶縁シート１０Ａは、粘着層１３ｂ側を電池缶１０１の周側面に対面させて巻き付けられる。つまり、絶縁シート１０Ａは、電池缶１０１の平坦な一対の幅広面１０１ａ、平坦な一対の幅狭面１０１ｂおよび幅広面１０１ａと幅狭面１０１ｂとを連結する各連結稜線部１１０Ａに沿って巻き付けながら、電池缶１０１の周側面に貼り付けられる。図４（ａ）に示されるように、絶縁シート１０Ａの巻き始め端部１１ａと捲き終わり端部１１ｂ（図４（ｃ）参照）は、電池缶１０１の接続部である連結稜線部１１０Ａにおいて、所定長だけ重なりあう。したがって、絶縁シート１０Ａの長さは、幅広面１０１ａの長さ×２＋幅狭面１０１ｂの長さ×２＋αである。絶縁シート１０Ａの厚さは、例えば、５０μｍ〜３ｍｍ程度である。
なお、実施形態１では、電池缶１０１と電池蓋１０２の接合部は、絶縁シート１０Ａから露出させるものとする。
【００２５】
上述した如く、電池缶１０１の幅広面１０１ａと幅狭面１０１ｂとの接合部である各連結稜線部１１０Ａは、円弧状の曲面を有する。
図４（ｃ）に図示される通り、絶縁シート１０Ａの巻始め端部１１ａと巻終り端部１１ｂとが重なる重なり代１２は連結稜線部１１０Ａに配置されている。ここで、絶縁シート１０Ａで被覆された電池缶１０１の横断面の外郭線は、幅広面１０１ａに配置された絶縁シート１０Ａの外表面１４を通る一対の仮想線Ｌ１４と、幅狭面１０１ｂに配置された絶縁シート１０Ａの外表面１５を通る一対の仮想線Ｌ１５で囲まれる矩形領域（最少矩形領域）からはみ出さない。
【００２６】
外表面１４の仮想線Ｌ１４と、外表面１５の仮想線Ｌ１５と、連結稜線部１１０Ａとに囲まれる領域は、上述した最少矩形領域におけるコーナー部に形成された空隙部である。換言すれば、絶縁シート１０Ａの重なり代１２は、そのすべての部分が、絶縁シート１０Ａの平坦な外表面１４を通る仮想線Ｌ１４と、絶縁シート１０Ａの平坦な外表面１５を通る仮想線Ｌ１５と、連結稜線部１１０Ａとに囲まれる空隙内に配置されている。  つまり、絶縁シート１０Ａの重なり代１２は、矩形領域のコーナー部に設けられた空隙部に配置される。
このように、絶縁シート１０Ａの重なり代１２は、電池缶１０１の幅広面１０１ａまたは幅狭面１０１ｂに対向する領域に配置されていないため、絶縁シート１０Ａの重なり代１２の厚み分、二次電池１００Ａの大きさが大きくなることがない。
【００２７】
以上説明した通り、本発明の実施形態１による二次電池によれば次のような作用効果を奏する。
（１）絶縁シート１０が重なり合う重なり代１２は、横断面が略矩形形状である電池缶、すなわち容器１０１におけるコーナー部の空隙に配置される。このため、蓄電素子である二次電池を小型化することができる。
（２）より具体的には、実施形態１の二次電池１００Ａでは、絶縁シート１０Ａの巻始め端部１１ａと巻終り端部１１ｂとが重なる重なり代１２が、電池缶１０１の幅広面１０１ａと幅狭面１０１ｂを接続する連結稜線部１１０Ａに配置されるようにした。すなわち、絶縁シート１０Ａの重なり代１２が、二次電池の横断面の外郭線を囲む最小矩形領域のコーナー部に設けられた空隙部に配置される。したがって、絶縁シート１０Ａの重なり代１２は、電池缶１０１の幅広面１０１ａまたは幅狭面１０１ｂに配置されていないため、同一容量の扁平角形二次電池の厚さを、絶縁シート１０Ａの重なり代１２の厚さ分小さくすることができる。
（３）複数の二次電池１００Ａをそれらの幅広面１０１ａが接するように配列して組電池を構成する場合、組電池の容量の低減することなく小型化することができる。
【００２８】
―実施形態２--
図５は、本発明の実施形態２としての二次電池を示し、絶縁シートを巻き付ける前の外観斜視図である。また、図６（ａ）〜（ｃ）は、実施形態２の絶縁シートの重なり代の構造を説明するための図である。図６（ａ）は、二次電池を図５におけるＶＩａ−ＶＩａ線で切断して示す断面図であり、電極群などの内部構造は省略している。図６（ｂ）は、図６（ａ）おける領域ＶＩｂの拡大図である。
【００２９】
実施形態２の二次電池１００Ｂは、２枚の絶縁シート１０Ｂ１、１０Ｂ２を備えている。絶縁シート１０Ｂ１は、大略、１つの幅広面１０１ａと２つの幅狭面１０１ｂとの合計の長さを有し、絶縁シート１０Ｂ２は、大略、１つの幅広面１０１ａの長さを有する。但し、これは、理解を助けるための表現であり、詳細は、図６に図示される通りである。
【００３０】
すなわち、絶縁シート１０Ｂ２は、一方の幅広面１０１ａの一辺側の第１の連結稜線部１１０Ａ１から、一方の幅広面１０１ａの他辺側の第２の連結稜線部１１０Ａ２に跨る長さを有する。また、絶縁シート１０Ｂ１は、一方の幅狭面１０１ｂの一辺側の第１の連結稜線部１１０Ａ１から、他方の幅広面１０１ａを迂回して一方の幅狭面１０１ｂの他辺側の第２の連結稜線部１１０Ａ２に跨る長さを有する。
絶縁シート１０Ｂ１と絶縁シート１０Ｂ２との重なり代１２は、第１の連結稜線部１１０Ａ１および第２の連結稜線部１１０Ａ２に配置される。
【００３１】
実施形態２においても、絶縁シート１０Ｂ１と絶縁シート１０Ｂ２との重なり代１２は、それぞれ、そのすべての部分が、絶縁シート１０Ｂ２の平坦な外表面１４の仮想線Ｌ１４と、絶縁シート１０Ｂ１の平坦な外表面１５の仮想線Ｌ１５と、第１の連結稜線部１１０Ａ１または第２の連結稜線部１１０Ａ２とに囲まれる領域内に配置されて貼り付けられている。このように、絶縁シート１０Ｂ１と絶縁シート１０Ｂ２との重なり代１２は、電池缶１０１の幅広面１０１ａまたは幅狭面１０１ｂには配置されていない。
このため、実施形態２に示す二次電池１００Ｂにおいても、実施形態１の二次電池１００Ａと同様な効果を奏する。
【００３２】
―実施形態３--
図７は、本発明の実施形態３としての二次電池を示し、絶縁シートを巻き付ける前の外観斜視図である。また、図８（ａ）、（ｂ）は、実施形態３の絶縁シートの重なり代の構造を説明するための図である。図８（ａ）は、二次電池を図７におけるＶＩＩＩａ−ＶＩＩＩａ線で切断して示す断面図であり、電極群などの内部構造は省略している。図８（ｂ）は、図８（ａ）おける領域ＶＩＩＩｂの拡大図である。
【００３３】
実施形態３の二次電池１００Ｃは、２枚の絶縁シート１０Ｃ１、１０Ｃ２を備えている。絶縁シート１０Ｃ１と１０Ｃ２は、同一の形状および寸法を有し、それぞれ、大略、１つの幅広面１０１ａと１つの幅狭面１０１ｂとの合計の長さを有する。但し、これは、理解を助けるための表現であり、詳細は、図８に図示される通りである。
【００３４】
すなわち、絶縁シート１０Ｃ１、１０Ｃ２は、それぞれ、一方の幅狭面１０１ｂの一辺側の第１の連結稜線部１１０Ａ１から、これとは対角線上に位置する第３の連結稜線部１１０Ａ３に跨る長さを有する。
従って、絶縁シート１０Ｃ１と絶縁シート１０Ｃ２との重なり代１２は、第１の連結稜線部１１０Ａ１および第３の連結稜線部１１０Ａ３に配置される。
【００３５】
実施形態３においても、絶縁シート１０Ｃ１と絶縁シート１０Ｃ２との重なり代１２は、それぞれ、そのすべての部分が、絶縁シート１０Ｃ１の平坦な外表面１４の仮想線Ｌ１４と、絶縁シート１０Ｃ２の平坦な外表面１５の仮想線Ｌ１５と、第１の連結稜線部１１０Ａ１または第３の連結稜線部１１０Ａ３とに囲まれる領域内に配置されて貼り付けられている。このように、絶縁シート１０Ｃ１と絶縁シート１０Ｃ２との重なり代１２は、電池缶１０１の幅広面１０１ａまたは幅狭面１０１ｂに対向する領域に配置されていない。
このため、実施形態３に示す二次電池１００Ｃにおいても、実施形態１の二次電池１００Ａと同様な効果を奏する。
【００３６】
―実施形態４―
図９は、本発明の実施形態４としての二次電池を示し、絶縁シートを巻き付ける前の外観斜視図である。また、図１０（ａ）は、実施形態４の絶縁シートの重なり代の構造を説明するための図であり、二次電池を図９におけるＸａ−Ｘａ線で切断して示す断面図である。図１０（ａ）では、電極群などの内部構造は省略している。図１０（ｂ）は、図１０（ａ）おける領域Ｘｂの拡大図である。
【００３７】
実施形態４の二次電池１００Ｄは、２枚の絶縁シート１０Ｄ１、１０Ｄ２を備えている。絶縁シート１０Ｄ１は、大略、２つの幅広面１０１ａの合計の長さを有する。また、絶縁シート１０Ｄ２は、大略、１つの幅狭面１０１ｂの長さを有する。
但し、これは、理解を助けるための表現であり、詳細は、図１０に図示される通りである。
【００３８】
すなわち、絶縁シート１０Ｄ１は、一方の幅広面１０１ａの一辺側の第１の連結稜線部１１０Ａ１から、他方の幅広面１０１ａの他辺側の第４の連結稜線部１１０Ａ４に跨る長さを有する。また、絶縁シート１０Ｄ２は、一方の幅狭面１０ｂの一辺側の第１の連結稜線部１１０Ａ１から、一方の幅狭面１０ｂの他辺側の第４の連結稜線部１１０Ａ４に跨る長さを有する。
従って、絶縁シート１０Ｄ１と絶縁シート１０Ｄ２との重なり代１２は、第１の連結稜線部１１０Ａ１および第４の連結稜線部１１０Ａ４に配置される。
【００３９】
実施形態４においても、絶縁シート１０Ｄ１と絶縁シート１０Ｄ２との重なり代１２は、それぞれ、そのすべての部分が、絶縁シート１０Ｄ１の平坦な外表面１４の仮想線Ｌ１４と、絶縁シート１０Ｄ２の平坦な外表面１５の仮想線Ｌ１５と、第１の連結稜線部１１０Ａ１または第４の連結稜線部１１０Ａ４とに囲まれる領域内に配置されて貼り付けられている。このように、絶縁シート１０Ｄ１と絶縁シート１０Ｄ２との重なり代１２は、電池缶１０１の幅広面１０１ａまたは幅狭面１０１ｂに対向する領域に配置されていない。
このため、実施形態４に示す二次電池１００Ｄにおいても、実施形態１の二次電池１００Ａと同様な効果を奏する。
【００４０】
―実施形態５―
図１１は、本発明の実施形態５としての二次電池を示し、絶縁シートを巻き付ける前の外観斜視図である。また、図１２（ａ）は、実施形態５の絶縁シートの重なり代の構造を説明するための図であり、二次電池を図１１におけるＸＩＩａ−ＸＩＩａ線で切断して示す断面図である。図１２（ａ）では、内部構造を省略している。図１２（ｂ）は、図１２（ａ）おける領域ＸＩＩｂの拡大図である。
【００４１】
実施形態５の二次電池１００Ｅは、３枚の絶縁シート１０Ｅ１、１０Ｅ２、１０Ｅ３を備えている。絶縁シート１０Ｅ１は、大略、１つの幅広面１０１ａの長さを有する。絶縁シート１０Ｅ２は、大略、１つの幅広面１０１ａと１つの幅狭面１０１ｂの合計の長さを有する。また、絶縁シート１０Ｅ３は、大略、１つの幅狭面１０１ｂの長さを有する。
但し、これは、理解を助けるための表現であり、詳細は、図１２に図示される通りである。
【００４２】
すなわち、絶縁シート１０Ｅ１は、一方の幅広面１０１aの一辺側の第１の連結稜線部１１０Ａ１から、一方の幅広面１０１ａの他辺側の第２の連結稜線部１１０Ａ２に跨る長さを有する。絶縁シート１０Ｅ２は、一方の幅狭面１０１ｂの一辺側の第２の連結稜線部１１０Ａ２から、他方の幅広面１０１ａの他辺側の第４の連結稜線部１１０Ａ４に跨る長さを有する。絶縁シート１０Ｅ３は、他方の幅狭面１０１ｂの一辺側の第１の連結稜線部１１０Ａ１から、他方の幅狭面１０１ｂの他辺側の第４の連結稜線部１１０Ａ４に跨る長さを有する。
従って、絶縁シート１０Ｅ１と絶縁シート１０Ｅ２との重なり代１２は、第１の連結稜線部１１０Ａ１、第２の連結稜線部１１０Ａ２および第４の連結稜線部１１０Ａ４に配置される。
【００４３】
実施形態５においても、絶縁シート１０Ｅ１と絶縁シート１０Ｅ２との重なり代１２、絶縁シート１０Ｅ１と絶縁シート１０Ｅ３との重なり代１２および絶縁シート１０Ｅ２と絶縁シート１０Ｅ３との重なり代１２は、それぞれ、そのすべての部分が、第１、第２、第４の連結稜線部１１０Ａ１、１１０Ａ２、１１０Ａ4に配置されている。
つまり、３つの重なり代１２は、すべて、絶縁シート１０Ｅ１の平坦な外表面１４の仮想線Ｌ１４と、絶縁シート１０Ｅ２の平坦な外表面１５の仮想線Ｌ１５と、第１、第２または第４の連結稜線部１１０Ａ１、１１０Ａ２、１１０Ａ４のいずれかに囲まれる領域内に配置されて貼り付けられている。このように、絶縁シート１０Ｅ１、絶縁シート１０Ｅ２、絶縁シート１０Ｅ３が、相互に重なる重なり代１２は、電池缶１０１の幅広面１０１ａまたは幅狭面１０１ｂには配置されていない。
このため、実施形態５に示す二次電池１００Ｅにおいても、実施形態１の二次電池１００Ａと同様な効果を奏する。
【００４４】
―実施形態６―
図１３は、本発明の実施形態６としての二次電池を示し、絶縁シートを巻き付ける前の外観斜視図である。また、図１４（ａ）は、実施形態６の絶縁シートの重なり代の構造を説明するための図であり、二次電池を図１３におけるＸＩＶａ−ＸＩＶａ線で切断して示す断面図である。図１４（ａ）では内部構造を省略している。図１４（ｂ）は、図１４（ａ）おける領域ＸＩＶｂの拡大図である。
【００４５】
実施形態６の二次電池１００Ｆは、４枚の絶縁シート１０Ｆ１〜１０Ｆ４を備えている。絶縁シート１０Ｆ１と絶縁シート１０Ｆ４とは、同一の形状・寸法であり、大略、１つの幅広面１０１ａの長さを有する。また、絶縁シート１０Ｆ２と絶縁シート１０Ｆ３とは、同一の形状・寸法であり、大略、１つの幅狭面１０１ｂの長さを有する。
但し、これは、理解を助けるための表現であり、詳細は、図１４に図示される通りである。
【００４６】
すなわち、絶縁シート１０Ｆ１は、一方の幅広面１０１ａの一辺側の第１の連結稜線部１１０Ａ１から、一方の幅広面１０１ａの他辺側の第２の連結稜線部１１０Ａ２に跨る長さを有する。絶縁シート１０Ｆ２は、一方の幅狭面１０１ｂの一辺側の第１の連結稜線部１１０Ａ１から、一方の幅狭面１０１ｂの他辺側の第４の連結稜線部１１０Ａ４に跨る長さを有する。絶縁シート１０Ｆ３は、他方の幅狭面１０１ｂの一辺側の第２の連結稜線部１１０Ａ２から、他方の幅狭面１０１ｂの他辺側の第３の連結稜線部１１０Ａ３に跨る長さを有する。絶縁シート１０Ｆ４は、他方の幅広面１０１ａの一辺側の第３の連結稜線部１１０Ａ３から、他方の幅広面１０１ａの他辺側の第４の連結稜線部１１０Ａ４に跨る長さを有する。
従って、絶縁シート１０Ｆ１と絶縁シート１０Ｆ２、絶縁シート１０Ｆ１と絶縁シート１０Ｆ３、絶縁シート１０Ｆ４と絶縁シート１０Ｆ２、絶縁シート１０Ｆ４と絶縁シート１０Ｆ３の各重なり代１２は、第１の連結稜線部１１０Ａ１〜第４の連結稜線部１１０Ａ４に配置される。
【００４７】
実施形態６においても、絶縁シート１０Ｆ１〜Ｆ４は、それぞれ、相互に重なる各重なり代１２のすべての部分が、絶縁シート１０Ｆ１（または１０Ｆ４）の平坦な外表面１４の仮想線Ｌ１４と、絶縁シート１０Ｆ２（または１０Ｆ３）の平坦な外表面１５の仮想線Ｌ１５と、第１の連結稜線部１１０Ａ１〜第４の連結稜線部１１０Ａ４のいずれかに囲まれる領域内に配置されて貼り付けられている。このように、絶縁シート１０Ｆ１〜１０Ｆ４が相互に重なる重なり代１２は、電池缶１０１の幅広面１０１ａまたは幅狭面１０１ｂに対向する領域に配置されていない。
このため、実施形態６に示す二次電池１００Ｆにおいても、実施形態１の二次電池１００Ａと同様な効果を奏する。
【００４８】
―実施形態７―
図１５は、本発明の実施形態７としての二次電池を示し、絶縁シートを巻き付ける前の外観斜視図である。また、図１６（ａ）は、実施形態７の絶縁シートの重なり代の構造を説明するための図であり、二次電池を図１５におけるＸＶＩａ−ＸＶＩａ線で切断して示す断面図である。図１６（ａ）では、内外部構造を省略している。図１６（ｂ）は、図１６（ａ）における領域ＸＶＩｂの拡大図である。
【００４９】
実施形態７の二次電池１００Ｇは、１枚の絶縁シート１０Ｇを備えている。図１５（ｂ）に示すように、絶縁シート１０Ｇは、３つの矩形形状の絶縁シート片１０ｇ１〜１０ｇ３を有する。絶縁シート片１０ｇ１は、実施形態１に示す絶縁シート１０Ａに対応する形状・寸法を有する。絶縁シート片１０ｇ２（底部被覆片）は、電池缶１０１の底面１０１ｃを覆う大きさを有する。絶縁シート片１０ｇ３は、絶縁シート片１０ｇ２と重なり代１２ａを形成するための部分であり、絶縁シート片１０ｇ２に対向する絶縁シート片１０ｇ１側に設けられている。
絶縁シート片１０ｇ１は、実施形態１と同様に、電池缶１０１の第１の連結稜線部１１０Ａ１に重なり代１２が配置されて貼り付けられている。
【００５０】
上述した通り、底面１０１ｃと幅広面１０１ａとの接合部、および底面１０１ｃと幅狭面１０１ｂとの各接合部（４箇所）は、断面円弧状の曲面とされている。
図１６（ｂ）に図示されるように、絶縁シート片１０ｇ３は、電池缶１０１の一方の幅広面１０１ａと底面１０１ｃとの連結部である第５の連結稜線部１１０Ａ５に配置されて貼り付けられている。絶縁シート片１０ｇ２は、他方の幅広面１０１ａ側から、電池缶１０１の底面１０１ｃを跨いで第５の連結稜線部１１０Ａ５に延出されており、第５の連結稜線部１０１Ａ５で絶縁シート片１０ｇ３に接着されている。つまり、電池缶１０１の底面１０１ｃに貼り付けられた絶縁シート片１０ｇ３と絶縁シート片１０ｇ２との重なり代１２ａは、第５の連結稜線部１０１Ａ５に配置されて貼り付けられている。
【００５１】
この場合にも、重なり代１２ａは、最も外側の部分を含む全領域が、幅広面１０１ａに貼り付けられた絶縁シート片１０ｇ１の外表面１４の仮想線Ｌ１４よりも内側の領域、かつ、底面１０１ｃに貼り付けられた絶縁シート１０ｇ１の外表面１６の仮想線Ｌ１６よりも内側の領域に配置されている。換言すれば、絶縁シート片１０ｇ３の重なり代１２ａは、そのすべての部分が、絶縁シート片１０ｇ１の平坦な外表面１４の仮想線Ｌ１４と、絶縁シート片１０ｇ２の平坦な外表面１６の仮想線Ｌ１６と、第５の連結稜線部（底部連結稜線部）１１０Ａ５とに囲まれる領域に配置されている。この領域は、外表面１４と外表面１６の仮想線Ｌ１４とＬ１６とが交差するコーナー部の空隙部である。
【００５２】
すなわち、絶縁シート１０Ｇは、電池缶１０１の周側縁における第１の連結稜線部１１０Ａ１と、電池缶１０１の底面１０１ｃと一方の幅広面１０１ａとの連結部である第５の連結稜線部１１０Ａ５で、それぞれ、重なり代１２、１２ａがコーナー部の空隙部に配置されて貼り付けられている。このため、実施形態７においても、実施形態１と同様な効果を奏する。また、実施形態７においては、絶縁シート片１０ｇ２により底面１０１ｃを覆い、第５の連結稜線部１１０Ａ５で重ね代１２ａを設けるので、絶縁シート１０Ｇによる電池缶１００１の絶縁領域が拡大されると共に、絶縁シート１０Ｇの電池缶１０１への接着力を大きくすることができる。
【００５３】
以上説明した実施形態７による二次電池によれば、以下のような作用効果を奏することができる。
（１）容器１０１の周側面１０１ａ，１０１ｂ、連結稜線部１１０Ａ１〜Ａ５および底面１０１ｃは１枚の絶縁シート１０Ｇで被覆され、電池缶の１０１の底面１０１ｃと一対の幅広面１０１ａとが交差する２つのコーナー部と、電池缶１０１の底面１０１ｃと一対の幅狭面１０１ｂとが交差する２つのコーナー部において、絶縁シート１０Ｇの２つの辺が重なり合って電池缶１０１に固着されるようにした。
その結果、実施形態７の二次電池１００Ｇも実施形態１の二次電池１００Ａと同様の作用効果を奏することができる。
（２）１枚の絶縁シート１０Ｇにより、電池缶１０１の周側面１０１ａ，１０１ｂ、連結稜線部１１０Ａ１〜Ａ５、および底面１０１ｃを被覆するようにしたので、複数枚の絶縁シートを使用する場合に比べて、コスト、生産効率が向上する。
【００５４】
―実施形態８--
図１７は、本発明の実施形態８としての二次電池を示し、絶縁シートを巻き付ける前の外観斜視図である。また、図１８（ａ）は、実施形態８の絶縁シートの重なり代の構造を説明するための図であり、二次電池を図１７におけるＸＶＩＩＩａ−ＸＶＩＩＩａ線で切断して示す断面図である。図１８（ａ）では、内外部構造を省略している。図１８（ｂ）は、図１８（ａ）おける領域ＸＶＩＩＩｂの拡大図である。
実施形態８が実施形態７と相違する点は、１枚の絶縁シート１０Ｇに代えて絶縁シート１０Ｈ１と絶縁シート１０Ｈ２の２枚の絶縁シートを使用する点、すなわち、実施形態７とは異なり、底面１０１ｃを別部材の絶縁シート１０Ｈ２で被覆した点である。
【００５５】
絶縁シート１０Ｈ１は、３つの矩形形状の絶縁シート片１０ｈ１〜１０ｈ３を有する。絶縁シート片１０ｈ１は、実施形態１に示す絶縁シート１０Ａに対応する形状・寸法を有する。絶縁シート片１０ｈ２、ｈ３は、それぞれ、電池缶１０１の底面１０１ｃを覆う絶縁シート１０Ｈ２とコーナー部で重なり代１２ａを形成するための部分である。
絶縁シート片１０ｈ３は、電池缶１０１の一方の幅広面１０１ａと底面１０１ｃとの連結部である第５の連結稜線部（底部連結稜線部）１１０Ａ５に配置されて貼り付けられている。また、絶縁シート片１０ｈ２は、電池缶１０１の他方の幅広面１０１ａと底面１０１ｃとの連結部である第６の連結稜線部１１０Ａ６に配置されて貼り付けられている。絶縁シート１０Ｈ２の両端は、それぞれ、絶縁シート片１０ｈ３および絶縁シート片１０ｈ２に接着されている。電池缶１０１の底面１０１ｃに貼り付けられた絶縁シート１０Ｈ２と絶縁シート片１０ｈ２との重なり代１２ａおよび絶縁シート１０Ｈ２と絶縁シート片１０ｈ３との重なり代１２ａは、それぞれ、第５、第６の連結稜線部Ａ５、Ａ６に配置されて貼り付けられている。
【００５６】
絶縁シート１０Ｈ２と絶縁シート片１０ｈ３との重なり代１２ａは、そのすべての部分が、一方の幅広面１０１ａに貼り付けられた絶縁シート片１０ｈ１の外表面１７の仮想線Ｌ１７よりも内側の領域、かつ、底面１０１ｃに貼り付けられた絶縁シート１０Ｈ２の外表面１６の仮想線Ｌ１６よりも内側の領域に配置されている。絶縁シート１０Ｈ２と絶縁シート片１０ｈ２との重なり代１２ａは、そのすべての部分が、他方の幅広面１０１ａに貼り付けられた絶縁シート１０Ｈ１の外表面１７の仮想線Ｌ１７よりも内側の領域、かつ、底面１０１ｃに貼り付けられた絶縁シート１０Ｈ２の外表面１６の仮想線Ｌ１６よりも内側の領域に配置されている。
【００５７】
絶縁シート片１０ｈ１は、実施形態１と同様に、電池缶１０１の第１の連結稜線部１１０Ａ１に重なり代１２が配置されて貼り付けられている。
すなわち、実施形態８においては、絶縁シート１０Ｈ２が、第６の連結稜線部１１０Ａ６にも重なり代１２ａを有しており、実施形態７に対して、１つ多い重なり代を有している。しかし、第６の連結稜線部１１０Ａ６における重なり代１２ａも上述のコーナー部の空隙部に配置されて貼り付けられている。このため、実施形態７と同様な効果を奏する。
【００５８】
―実施形態９--
図１９は、本発明の実施形態９としての二次電池を示し、図１９（ａ）は、絶縁シートの重なり代の構造を説明するための断面図、図１９（ｂ）は、図１９（ａ）おける領域ＸＩＸｂの拡大図である。
【００５９】
実施形態９の二次電池１００Ｋは、電池缶１０１Ｋと絶縁シート１０Ｋを備えている。
電池缶１０１Ｋは、一対の幅広面１０１Ｋａと、一対の幅広面１０１Ｋａを連結する一対の幅狭面１０１Ｋｂを有している。実施形態９は、各幅狭面１０１Ｋｂが、断面半円形の球面部を有している点で、実施形態１〜８と相違している。すなわち、実施形態９の電池缶は横断面が長円形状である。
絶縁シート１０Ｋは、実施形態１における絶縁シート１０Ａと同様、電池缶１０１の周側面の全長よりも重なり代１２分だけ長い矩形形状を有する。絶縁シート１０Ｋの重なり代１２は、一方の幅狭面１０１Ｋｂに貼り付けられた絶縁シート１０Ｋの頂部１０Ｋｔを外れた位置に配置されている。
【００６０】
すなわち、重なり代１２は、最も外側の部分を含む全領域が、幅広面１０１Ｋａに貼り付けられた絶縁シート１０Ｋの外表面２４の仮想線Ｌ２４よりも内側の領域に配置されている。また、重なり代１２は、最も外側の部分を含む全領域が、幅狭面１０１Ｋｂに貼り付けられた絶縁シート１０Ｋの頂部１０Ｋｔを通り、外表面２４に垂直な仮想線Ｌ２５よりも内側の領域に配置されている。
このように、絶縁シート１０Ｋの重なり代１２は、絶縁シート１０Ｋの外表面２４の仮想線Ｌ２４と、絶縁シート１０Ｋの頂部１０Ｋｔを通り、外表面２４に垂直な仮想線Ｌ２５とにより形成されるコーナー部の空隙部に配置される。従って、実施形態１と同様な効果を奏する。
【００６１】
なお、実施形態９は以下のように変形して実施することができる。
（１）以上では、絶縁シート１０Ｋを実施形態１と同様な部材として例示したが、絶縁シート１０Ｋを、実施形態２〜８と同様な、１枚または複数枚の部材としてもよい。
（２）実施形態９の電池缶は、一対の幅広面１０１ｋａが平坦面、一対の幅狭面１０１ｋｂが半円状を有する横断面長円形状の薄型電池缶であったが、以下の横断面を有する電池缶でもよい。すなわち、少なくとも一対の幅狭面１０１ｋｂが楕円などの曲面形状であってもよい。このような電池缶においても、上述した仮想線Ｌ１４，Ｌ１５で区画される最小矩形領域は、一対の幅広面１０１ｋａを被覆する絶縁シートの外表面を通る第1仮想線Ｌ２４、一対の幅狭面１０１ｋｂを被覆する絶縁シートの外表面の頂点を通り第1仮想線Ｌ２４と直交する第２仮想線Ｌ２５により区画された領域である。
（３）一つの幅広面１０１ｋａが平坦面ではなく曲面形状である薄型電池缶であってもよい。このような電池缶においては、上述の最小矩形領域は、一対の幅広面１０１ｋａを被覆する絶縁シートの外表面の頂点を通り電極群の捲回群と平行に延在する第1仮想線と、一対の幅狭面１０１ｋｂを被覆する絶縁シートの外表面の頂点を通り第1仮想線と直交する第２仮想線により区画された領域である。
【００６２】
―実施形態１０―
図２０は、本発明の実施形態１０としての二次電池を示し、絶縁シートを巻き付ける前の外観斜視図である。
実施形態１０の二次電池１００Ｌは、電池缶１０１Ｌと絶縁シート１０Ｌを備えている。実施形態１０の二次電池１００Ｌは、電池缶１０１Ｌのコーナー部が、幅広面１０Ｌａおよび幅狭面１０Ｌｂのいずれに対しても、鈍角となる平面に形成されている点で実施形態１の二次電池１００Ａと相違する。
【００６３】
すなわち、実施形態１０における各連結稜線部１１０Ｂは、円弧面ではなく平面である。
絶縁シート１０Ｌは、実施形態１における絶縁シート１０Ａと同様、電池缶１０１Ｌの周側面の全長よりも重なり代１２分だけ長い矩形形状を有する。そして、絶縁シート１０Ｌの重なり代（図２０には図示せず）は、実施形態１の場合と同様、いずれかの連結稜線部１１０Ｂに配置される。従って、実施形態１０においても、実施形態１と同様な効果を奏する。
なお、実施形態２〜８においても、実施形態１０の場合と同様に、電池缶１０１の各連結稜線部１１０Ａを平面とすることができる。
【００６４】
以上説明した実施形態を次のように変形して実施することができる。
（１）上記実施形態１〜６においては、重なり代１２のすべての部分が、絶縁シートの平坦な外表面１４の仮想線Ｌ１４と、絶縁シートの平坦な外表面１５の仮想線Ｌ１５と、連結稜線部とに囲まれる領域内に配置された構造として例示した。しかし、重なり代１２の一部が、絶縁シートの外表面１４または１５の仮想線の外側にはみだすようにしてもよい。このようにしても、絶縁シートの重なり代１２の全体が、幅広面１０１ａまたは幅狭面１０１ｂ上に配置されるよりも、二次電池１００Ａ〜１００Ｆの寸法を小さいものとすることができる。
【００６５】
（２）上記実施形態では、電池缶１０１と電池蓋１０２の接合部を、絶縁シート１０Ａ〜１０Ｌから露出された構造として例示した。しかし、電池缶１０１と電池蓋１０２の接合部における溶接面の突出量が小さい場合、あるいは接合面が電池蓋１０２の上部側に位置するような構造の場合には、絶縁シート１０Ａ〜１０Ｌにより、電池缶１０１と電池蓋１０２の接合部を含んで覆うようにしてもよい。
【００６６】
（３）上記実施形態では、電池缶１０１は、底面１０１ｃを有し、上面の開口が、正・負極端子１４１、１５１が設けられた電池蓋１０２により封口されている構造として例示した。しかし、電池缶１０１は、底面１０１ｃが開口されて、底面が別体の部材により封口されているものでもよい。この構造において、電池缶１０１の上下面を封口する部材は、それぞれ、正極端子１４１または負極端子１５１を有する電池蓋としてもよい。
【００６７】
（４）上記実施形態では、蓄電素子を、リチウムイオン二次電池として例示した。しかし、本発明は、リチウムイオン二次電池に限られるものではなく、ニッケル水素電池またはニッケル・カドミウム電池のように水溶性電解液を用いる二次電池にも適用が可能である。また、本発明は、リチウムイオンキャパシタや電解二重層コンデンサ等にも適用が可能である。
【００６８】
その他、本発明は、種々、変形して適用することが可能であり、二次電池やキャパシタなどの蓄電素子の絶縁シートが、絶縁シートで被覆された容器の横断面を囲む最小矩形領域の内側において、２つの辺が重なりあって周側面に固着されるように構成した種々の蓄電素子に適用可能である。
【符号の説明】
【００６９】
１０Ａ、１０Ｂ１、１０Ｂ２、１０Ｃ１、１０Ｃ２、１０Ｄ１、１０Ｄ２、１０Ｅ１〜１０Ｅ３、１０Ｆ１〜１０Ｆ４、１０ｇ１、１０Ｈ１、１０Ｈ２      絶縁シート
１０ｇ１〜１０ｇ３、１０Ｈ１〜１０ｈ3      絶縁シート片
１１ａ      巻始め端部
１１ｂ      巻終り端部
１２、１２ａ        重なり代
１４、１５、１６、１７      外表面
１５ａ      平面
１００Ａ〜１００Ｌ      二次電池
１０１        電池缶（容器）
１０１ａ      幅広面
１０１ｂ      幅狭面
１０１ｃ      底面
１０１Ｋａ      幅広面
１０１Ｋｂ      幅狭面
１０２        電池蓋（容器蓋）
１１０Ａ１、１１０Ａ１〜１１０Ａ６、１１０Ｂ      連結稜線部
１４１        正極端子（正極外部端子）
１５1        負極端子（負極外部端子）
１７０      電極群
【図１】
2014143146.tif 000003
【図２】
2014143146.tif 000004
【図３】
2014143146.tif 000005
【図４】
2014143146.tif 000006
【図５】
2014143146.tif 000007
【図６】
2014143146.tif 000008
【図７】
2014143146.tif 000009
【図８】
2014143146.tif 000010
【図９】
2014143146.tif 000011
【図１０】
2014143146.tif 000012
【図１１】
2014143146.tif 000013
【図１２】
2014143146.tif 000014
【図１３】
2014143146.tif 000015
【図１４】
2014143146.tif 000016
【図１５】
2014143146.tif 000017
【図１６】
2014143146.tif 000018
【図１７】
2014143146.tif 000019
【図１８】
2014143146.tif 000020
【図１９】
2014143146.tif 000021
【図２０】
2014143146.tif 000022